(57)【特許請求の範囲】
【請求項１】
外力によって巻き出されるワイヤー、
前記ワイヤーが巻き出された巻出長を算出する長さ算出部、
前記ワイヤーが巻き出された巻出角度を算出する角度算出部、及び、
前記巻出長及び前記巻出角度を利用して前記ワイヤーの少なくとも一部の地点の位置情報を算出する位置情報算出部、
基準時間（△Ｔ）以内に前記ワイヤーの少なくとも一部の地点が移動した移動距離（△Ｌ）を速度値（Ｖ）として算出する速度算出部、及び
前記速度算出部から算出される速度値と予め設定された臨界値を比較し、制御信号を生成する制御信号生成部、を含むことを特徴とする、位置測定モジュール。
【請求項２】
前記制御信号生成部は、予め設定された時間以内に前記速度値が前記臨界値を超える屈曲部の数に対応して前記制御信号を生成することを特徴とする、請求項１に記載の位置測定モジュール。
【請求項３】
前記制御信号は、走行装置を加速、減速及び停止させる制御信号の一つであることを特徴とする、請求項２に記載の位置測定モジュール。
【請求項４】
外力によって巻き出されるワイヤー、前記ワイヤーの巻出長を算出する長さ算出部、及び前記ワイヤーの巻出角度を算出する角度算出部を含む位置測定モジュールが提供される移送ユニット、及び、
前記ワイヤーの末端部と着脱することができるように構成され、前記移送ユニットの走行動作を制御する制御部を含み、
前記移送ユニットは、前記制御部によって走行モードが第１走行モードに設定された場合、前記位置測定モジュールによって算出される前記ワイヤーの一側の末端地点の位置に走行が誘導されることを特徴とする、移送ユニットの走行制御装置。
【請求項５】
外力によって巻き出されるワイヤー、前記ワイヤーの巻出長を算出する長さ算出部、及び前記ワイヤーの巻出角度を算出する角度算出部を含む位置測定モジュールが提供される移送ユニット、及び、
前記ワイヤーの末端部と着脱することができるように構成され、前記移送ユニットの走行動作を制御する制御部を含み、
前記移送ユニットは、前記制御部によって走行モードが第２走行モードに設定される場合、コントローラーモジュールに入力されるユーザーの操作信号を前記ワイヤーを通じて受信し、前記操作信号によって走行方向が制御されることを特徴とする、移送ユニットの走行制御装置。
【請求項６】
前記位置測定モジュールは、
前記ワイヤーの巻出長及び巻出角度をもとに前記ワイヤーの末端部地点の位置情報を獲得し、前記獲得した位置情報を時間別に分類して座標系上に対応して保存することを特徴とする、請求項４又は５に記載の移送ユニットの走行制御装置。
【請求項７】
前記ワイヤーは、導電性を備え、そして
前記制御部は、前記導電性ワイヤーを通じて、前記位置測定モジュールから電源供給を受け、前記移送ユニットの走行を制御することができるよう構成されることを特徴とする、請求項４又は５に記載の移送ユニットの走行制御装置。
【発明の詳細な説明】
【技術分野】
【０００１】
本発明は、位置測定モジュール及びこれを含む移送ユニットの走行制御装置に関するものであり、外力によって巻き出されるワイヤーの巻出長及び巻出角度をそれぞれ算出し、算出した巻出長及び巻出角度を利用してワイヤーの一部の地点の位置情報及び速度を順番に算出した後、速度が臨界値を超える場合、超過回数に対応する制御信号を生成する位置測定モジュール及びこれを含む移送ユニットの走行制御装置に関するものである。
【背景技術】
【０００２】
最近、情報処理装置の電子製品の回路の集積技術の発達により、汎用のコンピューター装置と、その周辺機器も発展を続けているが、ユーザーから信号を入力してもらう入力装置の発達は進んでいないのが現状である。
【０００３】
入力装置は、コンピューター装置に信号を入力するためのデバイス（Ｄｅｖｉｃｅ）を意味し、インプットシステムともいう。人間が情報を解釈して記憶する方式とは違って、コンピューター装置は０と１で情報を表示するプロセスを行う。これにより、入力装置は文字、図形、音声、数字等の資料を読み取り、０と１の二進数の形態に変えて処理を行うことができるようにする役割を果たす。初期のコンピューター装置では紙製のカードによる入力装置が多く活用されたが、最近の代表的な入力装置は文字を入力するキーボードと空間を指すことができるマウスであり、ユーザーが文字、数字または特殊文字を入力すると、内部的に０と１の二進数に変換されてコンピューター装置に入力される。
【０００４】
その他、画面に表示された各種の図や資料の位置を指すマウス、ゲーム等に多く使われるジョイスティックといった入力装置もある。その中でタッチスクリーンといった入力装置は現金自動預け払い機やノート型パソコン、コンピューター、モバイル端末等に使われ、スクリーンに指やペンを利用して情報を入力することができるようにしている。
【０００５】
このような、従来の入力装置は、２次元空間である平面があってこそ駆動することができ、ユーザーがディスプレイに表示される情報を確認して信号を入力しなければならなかった。そこから発展した形としては指で駆動するフィンガーマウスや空間マウス等があるが、前述の通り単価や使用上の不便さのために使いにくいという点がある。
【０００６】
また、IＴ装置の使用頻度が高まり、情報のデジタル化に沢山の時間を費やしていて、キーボードを使いながらマウスを使う方式ではなく、キーボードとマウスに対して別途時間差を置いて入力する方式を取っていて、入力速度を遅延させるという問題点がある。
【０００７】
一方、産業社会の高度化による製造工程の無人化及び自動化システムが著しく増加することにより、貨物等の保管と移送工程も人手による作業の介入を最小化しようとする要求が広がっている。それに、生産製品、産業材といった貨物を収容して走行する台車、ロボット等の装備が産業現場に迅速に適用されている流れがあり、このような移送装備は無人化及び自動化システムにおいて最も中核的な役割を担うことになった。
【０００８】
このような移送装備は、一般的に走行経路に沿って形成されたガイドレール、コンベヤベルト等を感知して自動走行する構造であり、大規模の生産ラインや製品量産のための工程のみに実用性を見せている。従って、狭い作業現場、比較的少量、軽量の物品移送等に対しては適用が容易でなく、移送システムを構築するうえで求められる高価な費用といった沢山の制約を伴うことになる。また、前述した従来の移送装備は、走行経路と到着地点が予め設定されていて、多様な場所及び空間への物品移送が不可能であるという短所を持つ。
【発明の概要】
【発明が解決しようとする課題】
【０００９】
本発明の目的は、外力によって巻き出されるワイヤーの巻出長及び巻出角度をそれぞれ算出した後、巻出長及び巻出角度を利用してワイヤーの一部の地点の位置情報を算出することにより、ワイヤーの時間による位置情報を測定することができる位置測定モジュールを提供しようとするものである。
【００１０】
また、本発明の目的は、時間による位置情報に基づいて速度を算出し、速度の臨界値超過回数に対応して制御信号を生成することができる位置測定モジュールを提供しようとするものである。
【００１１】
本発明の目的は、移送ユニットの一側から巻き出されたワイヤーの一側と制御部の一側を互いに着脱することができる移送ユニットの走行制御装置を提供しようとするものである。
【課題を解決するための手段】
【００１２】
本発明による位置測定モジュールは、外力によって巻き出されるワイヤー；前記ワイヤーが巻き出された巻出長を算出する長さ算出部；前記ワイヤーが巻き出された巻出角度を算出する角度算出部；及び前記巻出長及び前記巻出角度を利用して前記ワイヤーの少なくとも一部の地点の位置情報を算出する位置情報算出部；を含めて構成される。
【００１３】
好ましくは、前記長さ算出部は、前記ワイヤーが巻き出されて回転する第１回転部材；前記第１回転部材の回転量を測定する回転量測定センサー；及び前記回転量に比例して前記巻出長を算出する長さ算出モジュール；を含むことができる。好ましくは、前記角度算出部は、前記ワイヤーが巻き出される方向に回転する第２回転部材；前記第２回転部材の回転角を測定する回転角測定センサー；及び前記回転角から前記第２回転部材の回転軸を基準とする前記巻出角度を算出する角度算出モジュール；を含むことができる。
【００１４】
好ましくは、前記回転角測定センサーまたは前記回転量測定センサーは、ポテンショメーター及びエンコーダーのいずれかであることができる。
【００１５】
好ましくは、前記位置情報算出部は、前記ワイヤーの少なくとも一部の地点の位置情報（Ｘ、Ｙ座標）を時間による座標系上に座標として算出及び保存することができる。
【００１６】
好ましくは、位置測定モジュールは、基準時間（△Ｔ）以内に前記ワイヤーの少なくとも一部の地点が移動した移動距離（△Ｌ）を速度値（Ｖ）として算出する速度算出部；をさらに含むことができる。好ましくは、位置測定モジュールは、前記速度算出部から算出される速度値と予め設定された臨界値を比較して制御信号を生成する制御信号生成部；をさらに含むことができる。好ましくは、前記制御信号生成部は、予め設定された時間以内に前記速度値が前記臨界値を超える屈曲部の数に対応して前記制御信号を生成することができる。好ましくは、前記制御信号は、走行装置を加速、減速及び停止させる制御信号の一つであることができる。好ましくは、位置測定モジュールは、前記巻出長が予め設定された長さを超える場合、警告信号を生成する警告信号生成部；をさらに含むことができる。
【００１７】
また、本発明による移送ユニットの走行制御装置は、外力によって巻き出されるワイヤー；前記ワイヤーの巻出長を算出する長さ算出部；及び前記ワイヤーの巻出角度を算出する角度算出部；を含む位置測定モジュールが提供される移送ユニット；及び前記ワイヤーの末端部と着脱することができるように構成され、前記移送ユニットの走行動作を制御する制御部；を含むことができる。ここで、制御部は外部から供給される電源によって充電することができるよう構成されることができる。
【００１８】
好ましくは、前記ワイヤーの末端部及び前記制御部の一側にはそれぞれ第１及び第２磁性体；が提供され、前記第１及び第２磁性体の磁力によって着脱されることができる。ここで、前記制御部の一側には、前記ワイヤーの末端部に提供される磁性体と磁力によって着脱することができる金属プレート；が外側または内側に選択的に位置することができる。
【００１９】
好ましくは、前記制御部は、外部から電源を供給される第１コネクター溝；及び前記第１コネクター溝に電気的につながる第１電池；を含むことができる。好ましくは、前記制御部は、外側に突出した連結ジャック；をさらに含み、前記連結ジャックは、前記移送ユニットに形成された第２コネクター溝につながることができる。好ましくは、前記移送ユニットは、前記第２コネクター溝に電気的につながる第２電池；を含むことができる。好ましくは、前記連結ジャックの一側及び前記第２コネクター溝の一側には、それぞれ相違な極性の磁性体が備えられ、前記磁性体の磁力によって互いに着脱することができる。好ましくは、前記移送ユニットは、前記位置測定モジュール及び前記制御部から印加される制御信号をもとに駆動する駆動部；をさらに含むことができる。
【００２０】
好ましくは、前記走行制御装置は、前記ワイヤーと一緒に提供される電線；前記第１磁性体の一側から外側に突出して形成される一つ以上の連結ピン；及び前記第２磁性体の一側から内側に形成される一つ以上の連結溝；をさらに含むことができる。
【００２１】
好ましくは、前記一つ以上の連結ピンが前記一つ以上の連結溝に挿入されることにより、前記制御部は前記移送ユニットから電源供給を受けることができる。
【００２２】
好ましくは、前記位置測定モジュールは、前記ワイヤーの巻き出しの際に、一緒に回転する第１回転部材の回転量及び第２回転部材の回転角をもとに前記ワイヤーの巻出長及び巻出角度を算出することができる。
【００２３】
好ましくは、前記位置測定モジュールは、前記ワイヤーの巻出長及び巻出角度をもとに前記ワイヤーの末端部地点の位置情報を獲得し、前記獲得した位置情報を時間毎に分類し、座標系上に対応させて保存することができる。
【００２４】
好ましくは、前記ワイヤーは導電性を備え、そして前記制御部は前記導電性ワイヤーを通じて前記位置測定モジュールから電源供給を受けることができる。好ましくは、前記移送ユニットは、前記制御部によって走行モードが第１走行モードで設定される場合、前記位置測定モジュールによって算出される前記ワイヤーの一側の末端地点の位置に走行が誘導されることができる。好ましくは、前記移送ユニットは、前記制御部によって走行モードが第２走行モードに設定される場合、コントローラーモジュールに入力されるユーザーの操作信号を前記ワイヤーを通じて受信し、前記操作信号によって走行方向が制御されることができる。
【発明の効果】
【００２５】
本発明による位置測定モジュールは、ワイヤーの巻出長及び巻出角度を算出してワイヤーの一部の地点の位置情報を算出することにより、ユーザーの外力によって巻き出されるワイヤーの正確な位置情報を獲得することができる効果を持つ。
【００２６】
また、本発明は、ワイヤーの位置情報に基づき速度を算出し、速度の臨界値超過回数に対応して制御信号を生成することにより、ユーザーがワイヤーを引っ張る行為を制御信号として生成することができる効果を持つ。
【００２７】
また、本発明による移送ユニットの走行制御装置はワイヤーと制御部にそれぞれ備えられる磁性体を通じて相互連結が容易であるため、移送ユニットの走行制御が不要な状況や、あるいは制御部を別途分離しなければならない場合、迅速かつ簡単に分離・除去することができる利便性を持つ。
【００２８】
また、制御部に形成されるコネクター溝を通じて外部から電源供給を受けたり、または移送ユニットに形成されるコネクター溝に連結ジャックをつないで電源供給を受けることができるため、制御部の充電を必要とする場合、別途のケーブルがなくても迅速かつ簡単に制御部を充電することができる利便性を持つ。
【００２９】
また、本発明の移送モジュールは、移送ユニットに充電された電源をワイヤーを通じて制御部に供給することができるため、制御部を長時間使用するうえで制御部の制限的な電池容量を気にする必要がないという利点を持つ。
【００３０】
また、本発明によると、ユーザーの操作によって移送ユニットの走行モードを多様に設定することができ、それによって位置測定モジュールから算出される特定地点の位置への自動走行誘導ができるため、走行モード設定後にユーザーが別途の操作や制御をしなくてもいいという利便性を持つ。
【００３１】
また、本発明によると、制御部によって入力されるユーザーの方向操作信号をもとに移送ユニットの走行方向を自由自在に制御することができるため、移送ユニットの精密な走行制御ができ、ユーザーのアクセスが容易ではない狭い空間でも移送ユニットの走行方向を容易に制御することができるという利点を持つ。
【００３２】
また、本発明によると、制御部と移送ユニットを相互連結するワイヤーが移送ユニット内部の弾性部材の回転弾性力をもとに自動で巻き取られるか巻き出されることができるため、ワイヤーが長く伸びて積載物または障害物に引っかかったり絡んだりする問題点を未然に防止することができる利点を持つ。
【００３３】
また、本発明によると、ワイヤーの一側の末端地点の速度を算出した後、移送ユニットの走行速度を加速または減速させるための制御信号をもとに移送ユニットの走行動作を制御することができる利点を持つ。
【００３４】
また、本発明によると、制御部を通じて移送ユニットの走行モードを遠隔で無線制御することができるため、移送ユニットの走行モードを制御するうえで障害物等を気にすることなく自由自在に移送ユニットの走行動作を制御することができる利点を持つ。
【００３５】
また、本発明によると、導電性ワイヤーを通じて位置測定モジュールから制御部に電源を供給することにより、制御部内部に別途の電源供給源の備えを排除し、その構造を単純化することができる長所が発生する。
【図面の簡単な説明】
【００３６】
【図１】図１は、本発明の第１の実施例による位置測定モジュールの具体的な構成を示した図面である。
【図２】図２は、本発明の第１の実施例による位置測定モジュールの構成間の結合を示した分解図である。
【図３】図３は、本発明の第１の実施例による位置測定モジュールからワイヤーが巻き出される形状を示した図面である。
【図４】図４は、本発明の第１の実施例による位置測定モジュールの位置情報算出過程を説明するための図面である。
【図５】図５は、本発明の第１の実施例による位置測定モジュールから算出した位置情報をｘ-ｙ直交座標系上に座標として示したグラフである。
【図６】図６は、本発明の第１の実施例による位置測定モジュールから算出した位置情報をｘ-ｙ直交座標系上に座標として示したグラフである。
【図７】図７は、本発明の第１の実施例による位置測定モジュールから算出したワイヤーの少なくとも一部の地点の速度値を示したグラフである。
【図８】図８は、本発明の第２の実施例による位置測定モジュールの長さ算出部及び角度算出部を具体的に示した図面である。
【図９】図９は、本発明の第３の実施例による位置測定モジュールの長さ算出部及び角度算出部を具体的に示した図面である。
【図１０】図１０は、本発明の第１の実施例による移送ユニットの走行制御装置（１１００）の形態を概略的に示した図面である。
【図１１】図１１は、移送ユニット（１２００）の下側部に位置した位置測定モジュール（１００）からワイヤー（１１０）が巻き出されるか巻き取られる状態を概略的に示した図面である。
【図１２】図１２は、制御部（１５００）の形態をより具体的に示した図面である。
【図１３】図１３は、コントローラーモジュール（１５２０）を上下左右方向に操作して移送ユニット（１２００）の走行動作を無線で制御する状態を概略的に示した図面である。
【図１４】図１４は、制御部（１５００）から外側に突出した連結ジャック（１５３０’）の形態及び連結ジャック（１５３０’）が移送ユニット（１２００）の第２コネクター溝（１２３０）に挿入されて制御部（１５００）が充電される状態を概略的に示した図面である。
【図１５】図１５は、本発明の第１の実施例による制御部（１５００）の第２磁性体の一側から内側方向に形成された連結溝（１５３０”）の形態及び第１磁性体（１４１０）の一側から突出した一つ以上の連結ピン（１４１０ａ）が前記連結溝（１５３０”）に挿入され制御部（１５００）が充電される状態を概略的に示した図面である。
【発明を実施するための形態】
【００３７】
<位置測定モジュール>
図１及び図２を参照すると、本発明の第１の実施例による位置測定モジュール（１００）は、ワイヤー（１１０）、長さ算出部（１２０）、角度算出部（１３０）、位置情報算出部（１３０）、速度算出部（１４０）、制御信号生成部（１５０）及び警告信号生成部（１６０）を含むことができる。図１に示した位置測定モジュール（１００）の具体的な構成は、第１の実施例によるものであり、図１に示した複数のブロックは、全てのブロックが必須構成要素ではなく、第２の実施例において一部のブロックが追加、変更、または削除されることができることに留意する。
【００３８】
図３を参照すると、本発明の第１の実施例による位置測定モジュール（１００）の内部にはワイヤー（１１０）の一端が巻き取られていて、ワイヤー（１１０）の少なくとも一部の地点がユーザーの外力によって引っ張られて巻き出されるか巻き取られることができる。
【００３９】
ワイヤー（１１０）は位置測定モジュール（１００）の内部に巻き出されるか巻き取られる場合、印加される張力によって途切れない限り、種類及び材質が限定されないことに留意する。
【００４０】
長さ算出部（１２０）は巻き出されたワイヤー（１１０）の長さを算出する役割を果たすことができる。より具体的に、長さ算出部（１２０）はユーザーの外力によって引っ張られて位置測定モジュール（１００）から巻き出されたワイヤー（１１０）の長さを算出する役割を果たすことができる。このために、長さ算出部（１２０）は第１回転部材（１２１）、回転量測定センサー（１２２）及び長さ算出モジュール（１２３）を含めて構成されることができる。
【００４１】
第１回転部材（１２１）は円筒状で形成され、ワイヤー（１１０）の一端につながり、第１回転部材（１２１）の外側にワイヤー（１１０）が巻き出されるか巻き取られることができる。第１回転部材（１２１）は時計回り及び反時計回りのいずれかの方向に回転する場合、第１回転部材（１２１）からワイヤー（１１０）が巻き出されることができ、他の一方向にはワイヤー（１１０）が巻き取られることができる。
【００４２】
この際、第１回転部材（１２１）の内側には第１回転部材（１２１）の回転軸と同様の回転軸で回転し、回転弾性を持つ弾性部材（１２１’）がつながることができる。ここで、弾性部材（１２１’）はぜんまいであることができる。これにより、外力によって第１回転部材（１２１）にワイヤー（１１０）が巻き出されて第１回転部材（１２１）が回転する場合、ワイヤー（１１０）の巻き出しによる第１回転部材（１２１）の回転量に比例して弾性部材（１２１’）の回転弾性力は、増加することができる。
【００４３】
つまり、第１回転部材（１２１）からワイヤー（１１０）が巻き出されるほど弾性部材（１２１’）の回転弾性力が増し、より大きな外力でワイヤー（１１０）を引っ張るとワイヤー（１１０）が第１回転部材（１２１）から巻き出されることができる。
【００４４】
また、ワイヤー（１１０）に外力が作用しないか、回転弾性力より小さい外力が作用する場合、前記弾性部材（１２１’）の回転弾性力によって第１回転部材（１２１）が巻き出し方向と反対方向に回転してワイヤー（１１０）が第１回転部材（１２１）に巻き取られることができる。
【００４５】
回転量測定センサー（１２２）は第１回転部材（１２１）の回転量を測定する役割を果たすことができる。より具体的に、回転量測定センサー（１２２）は第１回転部材（１２１）につながり、ワイヤー（１１０）の巻き出しによる第１回転部材（１２１）の回転量を測定することができる。
【００４６】
この際、回転量測定センサー（１２２）は第１回転部材（１２１）にワイヤー（１１０）が最大に巻き取された場合、第１回転部材（１２１）の位置をもとに回転量を測定することができる。例えば、第１回転部材（１２１）にワイヤー（１１０）が最大に巻き取された場合、回転量測定センサー（１２２）から測定される第１回転部材（１２１）の回転量は、０であることができる。
【００４７】
回転量測定センサー（１２２）は等間隔で溝が形成された回転エンコーダーリングが第１回転部材（１２１）と一緒に回転することによって通った溝の数をカウントして回転量を測定するエンコーダー（Ｅｎｃｏｄｅｒ）であることができる。
【００４８】
エンコーダーについて簡略に説明すると、回転エンコーダーリング（１１０）上には所定の等間隔に複数の穴または溝等（これを「目盛り」と通称することとする）が形成されている。回転エンコーダーリングが回転すると、読み取りヘッドでは回転エンコーダーリング上に形成された目盛りがいくつ通ったかをカウントする。目盛りの間隔、つまり１回転における目盛り数は回転エンコーダーリングの製造時に予め設定されていて、読み取りヘッドで数えた目盛りの数を使用して回転エンコーダーリングがどれだけ回転したかを測定することができる。
【００４９】
また、回転量測定センサー（１２２）は回転変位の変化によって回転軸が回転すると、内部のワイパーが抵抗体の上を移動することにより、回転量に比例して電圧を出力するポテンショメーター（Ｐｏｔｅｎｔｉｏｍｅｔｅｒ）であることができる。長さ算出モジュール（１２３）は、回転量測定センサー（１２２）から測定された第１回転部材（１２１）の回転量に比例してワイヤー（１１０）の巻き出された巻出長を算出する役割を果たすことができる。より具体的に、長さ算出モジュール（１２３）は、第１回転部材（１２１）の外周（ｌ１）と第１回転部材（１２１）の回転量（ｒ１）を掛けて巻出長（ｌ）として算出することができる。この際、長さ算出モジュール（１２３）は、下記の数１を利用して巻出長を算出することができる。
【００５０】
【数１】
0006629980.tif 000002
【００５１】
ここで、ｌはワイヤーの巻出長、ｌ１は第１回転部材の外周、ａは外周補正定数、及びｒ１は第１回転部材の回転量であることができる。
【００５２】
角度算出部（１３０）はワイヤー（１１０）の巻き出された角度を算出する役割を果たすことができる。より具体的に、角度算出部（１３０）はユーザーの外力によって引っ張られたワイヤー（１１０）と位置測定モジュール（１００）が成す角度を算出する役割を果たすことができる。そのために、角度算出部（１３０）は第２回転部材（１３１）、回転角測定センサー（１３２）及び角度算出モジュール（１２３）を含めて構成されることができる。
【００５３】
第２回転部材（１３１）は円筒状で形成され、第２回転部材（１３１）の内側から外側へワイヤー（１１０）が通過することができる溝（１３１’）が形成されることができる。つまり、ワイヤー（１１０）の一端は第１回転部材（１２１）につながり、ワイヤー（１１０）の末端は第２回転部材（１３１）に形成された溝（１３１’）を通過して位置測定モジュール（１００）の外部に巻き出されることができる。
【００５４】
第２回転部材（１３１）は、外力によるワイヤー（１１０）の巻出角度が変更される場合、第２回転部材（１３１）の内側に位置するワイヤー（１１０）の一部の地点と位置測定モジュール（１００）の外部に位置して外力が印加されて地点間で直線を成すために第２回転部材（１３１）の溝（１３１’）はワイヤー（１１０）から外力を受けて回転することができる。この際、第１及び第２回転部材（１３１）の回転軸は同様であることができる。
【００５５】
回転角測定センサー（１３２）は第２回転部材（１３１）の回転角を測定する役割を果たすことができる。より具体的に、回転角測定センサー（１３２）は第２回転部材（１３１）につながり、ワイヤー（１１０）の巻出角度変更による第２回転部材（１３１）の回転角を測定することができる。
【００５６】
この際、回転角測定センサー（１３２）は第２回転部材（１３１）が前記回転軸を基準に時計回り及び反時計回りのいずれかの方向に最大に回転した位置を基準に回転角を測定することができる。
【００５７】
回転角測定センサー（１３２）は等間隔に溝が形成された回転エンコーダーリングが第２回転部材（１３１）と一緒に回転することによって通った溝の数をカウントして回転量を測定するエンコーダー（Ｅｎｃｏｄｅｒ）であることができる。また、回転角測定センサー（１３２）は回転変位の変化によって回転軸が回転すると、内部のワイパーが抵抗体の上を移動することにより、回転角に比例して電圧を出力するポテンショメーター（Ｐｏｔｅｎｔｉｏｍｅｔｅｒ）であることができる。
【００５８】
角度算出モジュール（１３３）は、回転角測定センサー（１３２）から測定された第２回転部材（１３１）の回転角を利用してワイヤー（１１０）の巻き出された巻出角度を算出する役割を果たすことができる。より具体的に、角度算出モジュール（１３３）は、第２回転部材（１３１）の回転角（ｒ２）に回転角補正定数（ｂ）を掛けて巻出角度（ｒ）を算出することができる。
【００５９】
ここで、回転角補正定数（ｂ）は回転角測定センサー（１３２）から測定される回転角データの種類によって回転角（ｒ２）を巻出角度（ｒ）で補正するための補正定数であることができる。例えば、回転角測定センサー（１３２）が第２回転部材（１３１）の回転角変化によって電圧を出力するポテンショメーターである場合、角度算出モジュール（１３３）は、出力される電圧データを巻出角度（ｒ）で補正する回転角補正定数（ｂ）を利用して巻出角度（ｒ）を算出することができる。この際、角度算出モジュール（１３３）は下記の数２を利用して巻出角度を算出することができる。
【００６０】
【数２】
0006629980.tif 000003
【００６１】
ここで、ｒはワイヤーの巻出角度、ｒ２は第２回転部材の回転角、ｂは回転角補正定数であることができる。
【００６２】
位置情報算出部（１４０）は長さ算出部（１２０）及び角度算出部（１３０）からそれぞれ算出した巻出長及び巻出角度を利用してワイヤー（１１０）の少なくとも一部の地点の位置情報を時間による座標系上に座標として算出し、保存する役割を果たすことができる。ここで、ワイヤー（１１０）の少なくとも一部の地点は、ワイヤー（１１０）の末端（Ａ）であることができる。また、座標系はｘ-ｙ直交座標系、３次元座標系、円筒座標系のいずれかであることができる。
【００６３】
一方、位置情報算出部（１４０）は算出した座標を保存するためにフラッシュメモリー（Ｆｌａｓｈ  Ｍｅｍｏｒｙ）、ＳＲＡＭ（Ｓｔａｔｉｃ  Ｒａｎｄｏｍ  Ａｃｃｅｓｓ  Ｍｅｍｏｒｙ ）、ＥＥＰＲＯＭ（Ｅｌｅｃｔｒｉｃａｌｌｙ   Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）、ＥＰＲＯＭ（Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）、ハードディスクドライブ（Ｈａｒｄ  Ｄｉｓｋ  Ｄｒｉｖｅ；ＨＤＤ）及びソリッドステートドライブ（Ｓｏｌｉｄ  Ｓｔａｔｅ  Ｄｒｉｖｅ；ＳＳＤ）の一つ以上を含むことができる。
【００６４】
図４を参照すると、位置情報算出部（１４０）は外力によって巻き出されたワイヤー（１１０）の少なくとも一部の地点のうち末端（Ａ）の位置情報を基準時間（△Ｔ）毎にｘ-ｙ直交座標系上に座標として算出することができる。ここで、基準時間（△Ｔ）は、位置情報算出部（１４０）が位置情報を座標として算出する周期であることができ、例えば、基準時間（△Ｔ）は２０ｍｓであることができる。
【００６５】
位置情報算出部（１４０）が基準時間（△Ｔ）毎に位置情報を算出するために、長さ算出部（１２０）及び角度算出部（１３０）も基準時間（△Ｔ）毎にそれぞれ巻出長及び巻出角度を算出することができる。例えば、位置情報算出部（１４０）は長さ算出部（１２０）から算出された巻出長（ｌ）及び角度算出部（１３０）から算出した巻出角度（ｒ）を利用してｘ-ｙ直交座標系上にｘ軸座標及びｙ軸座標をワイヤー末端（Ａ）の位置情報として算出することができる。より具体的に、位置情報算出部（１４０）は下記の数３を利用してｘ軸座標を算出し、数４を利用してｙ軸座標を算出することができる。
【００６６】
【数３】
0006629980.tif 000004
【００６７】
ここで、ｘはワイヤー末端のｘ-ｙ直交座標系上にｘ軸座標、ｌはワイヤーの巻出長、及びｒはワイヤーの巻出角度であることができる。
【００６８】
【数４】
0006629980.tif 000005
【００６９】
ここで、ｙはワイヤー末端のｘ-ｙ直交座標系上にｙ軸座標、ｌはワイヤーの巻出長，及びｒはワイヤーの巻出角度であることができる。
【００７０】
図５を参照すると、ワイヤー（１１０）が第１回転部材（１２１）に最大に巻き取された状態から外力によって巻き出された後、ワイヤー（１１０）に作用する外力より弾性部材（１２１’）から第１回転部材（１２１）に作用する回転弾性力が大きく、ワイヤー（１１０）が第１回転部材（１２１）に再び巻き取られる場合、図４に示した通り、位置情報算出部（１４０）は基準時間（△Ｔ）毎にワイヤー（１１０）の少なくとも一部の地点の位置情報を複数の座標として算出することができる。
【００７１】
図６を参照すると、ワイヤー（１１０）の巻き出し及び巻き取りが２回繰り返された場合、図５に示した通り、位置情報算出部（１４０）は基準時間（△Ｔ）毎にワイヤー（１１０）の少なくとも一部の地点の位置情報を複数の座標として算出することができる。
【００７２】
速度算出部（１５０）は、基準時間（△Ｔ）以内にワイヤー（１１０）の少なくとも一部の地点が移動した移動距離（△Ｌ）を速度値（Ｖ）として算出する役割を果たすことができる。より具体的に、速度算出部（１５０）は基準時間（△Ｌ）前後のそれぞれの座標から基準時間（△Ｌ）以内にワイヤー（１１０）が移動した移動距離（△Ｌ）を算出し、移動距離（△Ｌ）を基準時間（△Ｔ）で割って速度値（Ｖ）を算出することができる。
【００７３】
図７を参照すると、速度算出部（１５０）は位置情報算出部（１４０）から図５及び図６に示したワイヤー（１１０）の少なくとも一部の地点の位置情報（座標）を受けて基準時間（△Ｔ）以内に移動した移動距離（△Ｌ）を算出し、速度値（Ｖ）として算出することができる。
【００７４】
ワイヤー（１１０）が外力によって第１回転部材（１２１）に巻き出し及び巻き取りがそれぞれ順番に１回ずつ行われる場合、速度算出部（１５０）から算出される速度値（Ｖ）は、ワイヤー（１１０）が巻き出される時点から中止される時点まで増加してから減少し、ワイヤー（１１０）が巻き取られる時点から中止される時点まで再び増加してから減少することができる。つまり、ワイヤー（１１０）が第１回転部材（１２１）に巻き出されるか巻き取られる場合、ワイヤー（１１０）の少なくとも一部の地点の速度値（Ｖ）は増加及び減少を１回繰り返すことができる。この際、制御信号生成部（１６０）は速度算出部（１５０）から算出される速度値（Ｖ）と予め設定された臨界値を比較して制御信号を生成する役割を果たすことができる。
【００７５】
ここで、予め設定された臨界値は、外部から印加される外力が制御信号の入力であるかどうかを判断する基準値であることができる。つまり、速度値（Ｖ）が予め設定された臨界値を超える場合、制御信号生成部（１６０）はユーザーからワイヤー（１１０）を通じて制御信号が入力されるものと判断することができる。
【００７６】
より具体的に、制御信号生成部（１６０）は速度算出部（１５０）から算出されたワイヤー（１１０）の少なくとも一部の地点の速度値（Ｖ）の増加及び減少の繰り返しによって形成される屈曲部のうち予め設定された時間以内に臨界値を超える数に対応して制御信号を生成することができる。ここで、制御信号は走行装置を加速、減速及び停止させる制御信号の一つであることができる。
【００７７】
図７を参照すると、予め設定された臨界値が２０である場合、制御信号生成部（１６０）は速度値（Ｖ）の増加及び減少の繰り返しによって最初に形成された屈曲部（Ｃ１）の速度値が臨界値の２０を超えるかどうかを判断することができる。制御信号生成部（１６０）は屈曲部（Ｃ１）の速度値が臨界値を超えるものと判断した結果、予め設定された時間以内に臨界値を超える速度値の屈曲部が形成されるかを判断することができる。制御信号生成部（１６０）は屈曲部（Ｃ２）が予め設定された時間以内に形成され、速度値が臨界値を超えるものと判断することができる。この際、制御信号生成部（１６０）は予め設定された時間以内に臨界値を超える屈曲部（Ｃ１、Ｃ２）の数を２回と判断し、走行装置の速度を加速させる加速制御信号を生成することができる。さらに、制御信号生成部（１６０）は屈曲部（Ｃ３、．．．、Ｃ６）が予め設定された時間以内に形成され、屈曲部（Ｃ３、．．．、Ｃ６）の速度値が臨界値を超えるものと判断することができ、それにより、予め設定された時間以内に臨界値を超える屈曲部（Ｃ３、．．．、Ｃ６）の数を４回と判断して走行装置の速度を減速させる減速制御信号を生成することができる。本発明の第１の実施例による位置 測定装置（１００）が走行装置につながり制御信号生成部（１６０）から生成された制御信号を走行装置に送信する場合、走行装置は制御信号に対応して速度が制御されることができる。
【００７８】
警告信号生成部（１７０）は、限られたワイヤー（１１０）の長さを超えてワイヤー（１１０）が巻き出されることを防止するために、長さ算出部（１２０）から算出したワイヤー（１１０）の巻出長が予め設定された長さを超える場合、警告信号を生成する役割を果たすことができる。ここで、予め設定された長さは３０ｃｍないし２ｍであることができる。
【００７９】
警告信号生成部（１７０）は警告信号を出力し、ユーザーに警告する警告信号出力部を含むことができる。警告信号出力部は文字、記号、図及び数字のうち一つ以上で警告信号を出力するディスプレイ、音響で警告信号を出力するスピーカーのうち一つ以上であることができる。
【００８０】
ＰＣＢハウジング（１８０）は、長さ算出モジュール（１２３）、角度算出モジュール（１３３）、位置情報算出部（１４０）、速度算出部（１５０）、制御信号生成部（１６０）及び警告信号生成部（１７０）を印刷回路基板（ＰＣＢ）に実装し、内部に収納する役割を果たすことができる。
【００８１】
長さ算出モジュール（１２３）、角度算出モジュール（１３３）、位置情報算出部（１４０）、速度算出部（１５０）、制御信号生成部（１６０）及び警告信号生成部（１７０）は中央処理装置（Ｃｅｎｔｒａｌ  Ｐｒｏｃｅｓｓｉｎｇ Ｕｎｉｔ；ＣＰＵ）を通じて応用プログラム及びアプリケーションのようなソフトウェアを駆動する一つのマイクロコントローラー（Ｍｉｃｒｏ  Ｃｏｎｔｒｏｌｌｅｒ  Ｕｎｉｔ；ＭＣＵ）であることができる。
【００８２】
図８は、本発明の第２の実施例による位置測定モジュール（２００）の長さ算出部及び角度算出部を具体的に示した図面である。図１及び図２に示した本発明の第１の実施例による位置測定モジュール（１００）と図８に示した本発明の第２の実施例による位置測定モジュール（２００）を比較すると、角度算出部の構造が相違するだけで、他の構成及びその構成の役割は同様であるため、詳しい説明を割愛することにする。
【００８３】
図８を参照すると、本発明の第２の実施例による位置測定モジュール（２００）の第１回転部材（２２１）及び回転量測定センサー（２２２）の回転軸は、第２回転部材（２３１）及び回転角測定センサー（２３２）の回転軸と相違することができる。
【００８４】
また、第２回転部材（２３１）は第１回転部材（２２１）の前面に位置し、９０度に曲がった形状で、一側にはワイヤー（２１０）が貫通することができる溝が形成されることができる。
【００８５】
第２回転部材（２３１）に形成された溝を貫通するワイヤー（２１０）は巻出角度が変更されることによって直線を第１回転部材（２２１）から直線を維持するために第２回転部材（２３１）に斥力を印加することになり、これによって、第２回転部材（２３１）はワイヤー（２１０）の巻出角度に回転することができる。
【００８６】
この際、第２回転部材（２３１）の他側は、回転角測定センサー（２３２）につながって回転することにより、回転角測定センサー（２３２）から回転角を測定するようにすることができる。
【００８７】
図９は本発明の第３の実施例による位置測定モジュール（１００）の長さ算出部及び角度算出部を具体的に示した図面である。図１及び図２に示した本発明の第１の実施例による位置測定モジュール（１００）と図９に示した本発明の第３の実施例による位置測定モジュール（１００）を比較すると、本発明の第３の実施例による位置測定モジュール（１００）は、本発明の第１の実施例による位置測定モジュール（１００）の第２回転部材（１３１）及び回転量測定センサー（１３２）がそれぞれ移動部材（３３１）及び距離測定センサー（３３２）に替えられるだけで、他の構成及びその構成の役割は同様であるため、詳しい説明を割愛することにする。
【００８８】
図９を参照すると、本発明の第３の実施例による位置測定モジュール（１００）の移動部材（３３１）及び距離測定センサー（２３２）は第１回転部材（３２１）及び回転量測定センサー（３２２）の前面に位置することができる。移動部材（３３１）は直線に移動でき、ワイヤー（３１０）が貫通する溝が形成されることができる。
【００８９】
第１回転部材（３２１）から巻き出されるワイヤー（３１０）が移動部材（３３１）に形成された溝を貫通し、ワイヤー（３１０）は巻出角度が変更されることによって第１回転部材（３２１）から直線を維持するために移動部材（３３１）に斥力を印加することができる。これによって、移動部材（３３１）はワイヤー（２１０）の巻出角度ほど直線に移動することができる。この際、移動部材（３３１）の他側は、距離測定センサー（３３２）につながって直線移動し、距離測定センサー（３３２）は移動部材（３３１）の移動距離を測定することができる。以後、本発明の第３の実施例による位置測定モジュール（１００）の角度算出モジュールは、距離測定センサー（３３２）から測定された移動部材（３３１）の移動距離をワイヤー（３１０）の巻出角度として算出することができる。
【００９０】
<移送ユニットの走行制御装置>
図１０を参照すると、走行制御装置（１１００）は移送ユニット（１２００）、位置測定モジュール（１００）、ワイヤー（１１０）及び制御部（１５００）を含めて構成されることができる。
【００９１】
まず、移送ユニット（１２００）は、各種物品または各種産業資材を移動、移送、輸送、運搬するための移送手段を意味することができ、内部の収容空間または積載空間に該当するハウジング（ｈｏｕｓｉｎｇ）を含むことができ、ハウジングの下側には移送ユニット（１２００）を床面から位置移動させるための一つ以上の輪（ｗｈｅｅｌ）が備えられることができる。
【００９２】
この際、移送ユニット（１２００）は、一つ以上の輪に動力（回転力）を伝達するための駆動部及び前記駆動部に電源を供給する第２電池をさらに含めて構成されることができる。駆動部は、例えばモーターを意味することができ、第２電池はモーターに電気エネルギーを供給する電池を意味することができる。
【００９３】
ここで、モーターとは、前記一つ以上の輪を回転させることができる物理的な電気的装置を全て包括する意味で解釈することが望ましく、特に電池とは、リチウムイオン電池、リチウムポリマー電池、ニッケルカドミウム電池、ニッケル水素電池、ニッケル亜鉛電池等のように充放電が可能な二次電池として解釈されることが望ましく、二次電池ではなく充電ができない一次電池にも代替、適用されることができることに留意する。
【００９４】
また、第２電池は前記駆動部の駆動（または回転）を持続させるに充分な程度の定格容量及び定格出力量を持つことができ、特に後述される制御部（１５００）内部に備えられた第１電池（１５４０）を充電させる役割も果たすことによって制御部（１５００）の必要電力量に比例して出力電圧を変換するインバーターの役割またはコンバーターの役割も果たすことができることに留意する。
【００９５】
位置測定モジュール（１００）は、前記移送ユニット（１２００）の少なくとも一部分に位置することができ、例えば移送ユニット（１２００）の内側に位置するか、または移送ユニット（１２００）の下側部から外部に露出するよう位置することができ、本明細書ではその中で特に移送ユニット（１２００）の下側部から外部に露出するよう位置するように図示及び記載していることに留意し、位置測定モジュール（１００）の位置は制限されないことに留意する。それだけでなく、位置測定モジュール（１００）は、移送ユニット（１２００）から着脱することができるように構成することができ、移送ユニット（１２００）とは別に利用及び動作することができることに留意する。
【００９６】
このような位置測定モジュール（１００）は、内側にワイヤー（１１０）が巻き取された一種のリール線（電気延長線）モジュールの形を取ることができ、外力によって巻き出される前記ワイヤー（１１０）の巻出長、巻出角度等を算出して、算出した巻出長及び巻出角度を利用してワイヤー（１１０）の特定の地点（例えば、後述する第１磁性体（１４１０）等）の位置情報及び速度値等を時間毎に算出し、それによる結果を獲得することができる。このような位置測定モジュール（１００）及びワイヤー（１１０）については前述したため、これに対する重複説明を割愛することにする。
【００９７】
ワイヤー（１１０）は、第１の実施例として導電性を備えることができ、この場合、制御部（１５００）と移送ユニット（１２００）相互は導電性ワイヤー（１１０）によって電気的、通信的につながることができるようになる。
【００９８】
要するに、制御部（１５００）は導電性ワイヤー（１１０）を経路にして位置測定モジュール（１００）のエネルギー供給源から供給される電源で駆動することができ、制御部（１５００）の駆動によって生成される信号は再び導電性ワイヤー（１１０）を通じて移送ユニット（１２００）に伝達され、制御部（１５００）を操作して移送ユニット（１２００）の走行を制御することもできるようになる。
【００９９】
図１１を参照すると、ワイヤー（１１０）の末端部には制御部（１５００）と着脱ができるように磁力を持つ第１磁性体（１４１０）（例えば、磁石等）が備えられることができる。同様に後述する制御部（１５００）の一側には前記第１磁性体（１４１０）と磁力によって着脱することができる第２磁性体（１５１０）が備えられることができ、この際、第１及び第２磁性体（１４１０、１５１０）は相違な極性を取るように構成されることによって互いに引っ張る引力が作用することができる。
【０１００】
制御部（１５００）は位置測定モジュール（１００）から巻き出されたワイヤー（１１０）と着脱した状態でユーザーの手にパージされることができ、制御部（１５００）をパージしたユーザーが動きによってワイヤー（１１０）の末端部に位置する第１磁性体（１４１０）の位置が移動して位置変化を生成する役割を果たすことができる。以後、移送ユニット（１２００）は、前記のように制御部（１５００）の位置変化に相応して制御部（１５００）方向に走行されることができる。
【０１０１】
それだけでなく、制御部（１５００）はワイヤー（１１０）との接触が不在な状態（例えば、ワイヤー（１１０）が位置測定モジュール（１００）の内側に巻き取られて制御部（１５００）につながっていない状態）でも移送ユニット（１２００）に制御信号を無線で印加することができ、そのために移送ユニット（１２００）は前記無線制御信号を受信するための信号受信部（図示せず）を含めて構成されることができる。
【０１０２】
図１２及び図１３を参照すると、制御部（１５００）は第２磁性体（１５１０）、コントローラーモジュール（１５２０）、第１コネクター溝（１５３０）、第１電池（１５４０）及び状態表示モジュール（１５５０）を含めて構成されることができ、第１の実施例において移送ユニット（１２００）の走行モードを変更するためのトグルスイッチであるモード変更スイッチ（図示せず）をさらに含むことができる。
【０１０３】
第２磁性体（１５１０）は、前記第１磁性体（１４１０）と磁力によって着脱することができ、第１磁性体（１４１０）と極性が相違する磁性体を意味することができ、第１及び第２磁性体（１４１０、１５１０）が磁力によって互いに着脱されることにより、第１磁性体（１４１０）の位置変化に相応して移送ユニット（１２００）の走行動作及び走行方向等が変更されることができる。
【０１０４】
第１の実施例において、制御部（１５００）は第２磁性体（１５１０）ではなく金属プレート（図示せず）が提供されることができ、前記金属プレートは第２磁性体（１５１０）の役割を代わりに果たすことができるよう制御部（１５００）の一側から第２磁性体（１５１０）の位置と同一の位置に提供されることができる。例えば、金属プレートは制御部（１５００）の外側に付着することができるよう提供されることにより、前記第１磁性体（１４１０）が持つ磁力によって第１磁性体（１４１０）と着脱されることもでき、他の例を挙げると、金属プレートは制御部（１５００）の内側に挿入または介在することができるよう提供されることにより、前記第１磁性体（１４１０）が持つ磁力によって第１磁性体（１４１０）と着脱することもできる。一方、金属プレートが前記の役割（第１磁性体（１４１０）が持つ磁力によって第１磁性体（１４１０）と制御部（１５００）の一側面が接して着脱することができるようにする役割）をする限り、金属プレートの材質及び種類、厚さ、面積等は制限されないことに留意する。
【０１０５】
コントローラーモジュール（１５２０）は、例えばジョイスティックのような操縦レバー型の入力装置として実装することができ、ユーザーの手操作によって中心軸を基準に３６０度の回転半径に回転することができる。
【０１０６】
第１の実施例において、制御部（１５００）に備えられたコントローラーモジュール（１５２０）をユーザーが操作することにより、制御部（１５００）から移送ユニット（１２００）の信号受信部（図示せず）に制御信号が無線で印加されることができ、このような場合、移送ユニット（１２００）の駆動部は無線で印加される制御信号をもとに回転速度、回転方向等が制御されることができる。
【０１０７】
第１コネクター溝（１５３０）は、制御部（１５００）の一側面（例えば、側面または下側面等）に位置されることができ、外部の電源供給ジャック（１００１）から電源供給を受けることができる溝を意味することができる。このような第１コネクター溝（１５３０）は、供給される電源を充電して蓄積するための第１電池（１５４０）に電気的につながることができ、第１電池（１５４０）内に充電された電源をエネルギー源として制御部（１５００）が作動することができる。このような第１コネクター溝（１５３０）は、外部の電源供給ジャック（１００１）を収容することができるよう電源供給ジャック（１００１）の形態に相応するよう内側に形成された溝形で示されているが、電源供給ジャック（１００１）ではない移送ユニット（１２００）または位置測定モジュール（１００）に形成されたコネクター溝に挿入することができるよう外側に突出した形態の連結ジャックの形態にも多様に形成されることができることに留意する。
【０１０８】
第１電池（１５４０）は前記移送ユニット（１２００）に備えられた第２電池と同様に制御部（１５００）の駆動を持続させるに充分な程度の定格容量及び定格出力量を持つことができ、特に移送ユニット（１２００）または位置測定モジュール（１００）から電源供給を受けて蓄積する役割も果たすことによって、制御部（１５００）の必要電力量に比例して第２電池から供給される供給電圧を変換するインバーターの役割またはコンバーターの役割も果たすことができることに留意する。
【０１０９】
状態表示モジュール（１５５０）は、制御部（１５００）の駆動状態、移送ユニット（１２００）の制御状態またはコントローラーモジュール（１５２０）の操作状態等をユーザーが視認することができるようにする役割を果たすことができ、本明細書では一列に配列された一つ以上のＬＥＤ素子として示したが、状態表示モジュール（１５５０）はこのようなＬＥＤ素子に限られず、多様な種類の液晶パネル等によって実装することができることに留意する。
【０１１０】
第１の実施例として、走行モードの場合、第１走行モードまたは第２走行モードに設定することができる。ここで第１走行モード及び第２走行モードとは、移送ユニット（１２００）の走行モードを指すものであり、第１走行モードは移送ユニット（１２００）の走行を特定地点の位置に自動誘導することができるモードを意味し、第２走行モードは移送ユニット（１２００）の走行をユーザーの操作によって制御することができるモードを意味することができることに留意する。
【０１１１】
図１３を参照すると、ユーザーが指を利用して制御部（１５００）のコントローラーモジュール（１５２０）、より具体的に円形の安着面が形成されたレバーを前面方向へ押し出す動作を取ることになり、この際発生する制御信号を信号発信部（図示せず）を通じて移送ユニット（１２００）の信号受信部（図示せず）に伝えることになり、この際印加される制御信号が駆動部に伝わることができる。それにより、駆動部は前記制御信号に反応してレバーが移動した方向と相応する方向（例えば、時計回り等）に回転するようになり、移送ユニット（１２００）は駆動部の回転力によってレバーが移動した方向と同じ方向（前面）に移動することになる。一方、レバーの方向はユーザーの内側方向、右方向、左方向等に多様に変わることができ、それに相応して信号受信部（図示せず）に伝わる制御信号も変更されることができ、移送ユニット（２１０）は前記変更された制御信号に相応して走行が制御されることができることが明らかであることに留意する。
【０１１２】
図１４を参照すると、制御部（１５００）の一側には第１コネクター溝（１５３０）とは異なる形で制御部（１５００）の外側方向に突出した連結ジャック（１５３０’）が形成されたことが分かる。この際、連結ジャック（１５３０’）は、移送モジュール（２００）の少なくとも一部分に位置した第２コネクター溝（１２３０）に挿入されることができ、第２コネクター溝（１２３０）は、第２電池に電気的につながることができるため、制御部（１５００）内の第１電池（１５４０）は第２電池から供給される電源をもとに充電されることができる。一方、本明細書の第２コネクター溝（１２３０）が位置測定モジュール（１００）の少なくとも一部分に位置するものと示したが、第２コネクター溝（１２３０）は、位置測定モジュール（１００）ではない移送モジュール（２００）の少なくとも一部分にも位置することができることに留意する。
【０１１３】
図１５を参照すると、制御部（１５００）の一側（より具体的に、下側面）にはさらに異なる形で制御部（１５００）の内側方向に一つ以上の連結溝（１５３０”）が形成されたことが分かる。この際、連結溝（１５３０”）には第１磁性体（１４１０）の一側から外側方向に突出して形成された一つ以上の連結ピン（１４１０ａ）が挿入されることができ、この際一つ以上の連結ピン（１４１０ａ）は、ワイヤー（１１０）と一緒に提供される電線（１４２０）に電気的につながることができる。この際、電線（１４２０）は、移送ユニット（１２００）に提供された第２電池（２２０）に電気的につながることができるため、制御部（１５００）内の第１電池（１５４０）は第２電池から供給される電源をもとに充電されることができる。
【０１１４】
また、このような場合、第１及び第２磁性体（１４１０、１５１０）の間に作用する磁力によって第１及び第２磁性体（１４１０、１５１０）が互いに接する状態が維持することができるため、制御部（１５００）の第１電池（１５４０）が充電される状態が外部の衝撃に関係なく強固に維持することができる。
【図１】
0006629980.tif 000006
【図２】
0006629980.tif 000007
【図３】
0006629980.tif 000008
【図４】
0006629980.tif 000009
【図５】
0006629980.tif 000010
【図６】
0006629980.tif 000011
【図７】
0006629980.tif 000012
【図８】
0006629980.tif 000013
【図９】
0006629980.tif 000014
【図１０】
0006629980.tif 000015
【図１１】
0006629980.tif 000016
【図１２】
0006629980.tif 000017
【図１３】
0006629980.tif 000018
【図１４】
0006629980.tif 000019
【図１５】
0006629980.tif 000020